【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
第１内歯車（１３）と、軸方向クランピング機構（１５、４１）の一部を形成する偏心輪（１５）と、該偏心輪（１５）により駆動されて前記第１内歯車（１３）と噛み合うピニオン（２１）と、該ピニオン（２１）が内側で噛み合う第２内歯車（３１）と、前記第１内歯車（１３）と第２内歯車（３１）とを互いに軸方向に合わせて保持する保持クランプ（２５、３５）とを有する車両座席用の歯車付き取り付け具（１１）であって、
前記座席フレーム側の第１内歯車（１３）の外側に当接するフランジ（１８）が、前記偏心輪（１５）の第１軸受部分（１７）に一体成形され、
前記偏心輪（１５）を軸受する座席フレーム側の保持クランプ（２５）が、座席フレーム側の第１内歯車（１３）に固定され、
前記座席フレーム側の保持クランプ（２５）の外側を軸受するリング（４１）が、前記偏心輪（１５）の端部に固定的に取り付けられていることを特徴とする車両座席用歯車付き取り付け具（１１）。  
【請求項２】
前記偏心輪（１５）とリング（４１）との間において、回り止め手段（３９、４３）が、円周方向に設けられていることを特徴とする請求項１記載の車両座席用歯車付き取り付け具（１１）。
【請求項３】
前記偏心輪（１５）が、前記車両座席用歯車付き取り付け具（１１）の取り付け後、前記リング（４１）を取り外すことによって交換できるようになっていることを特徴とする請求項２記載の車両座席用歯車付き取り付け具（１１）。
【請求項４】
前記偏心輪（１５）に軸方向のプレストレスを加えるばねリング（２７）が設けられていることを特徴とする請求項１乃至請求項３のいずれか１項に記載の車両座席用歯車付き取り付け具（１１）。
【請求項５】
前記偏心輪（１５）が、その外周面上に少なくとも１つのグリースポケット（２２）を有していることを特徴とする請求項１乃至請求項４のいずれか１項に記載の車両座席用歯車付き取り付け具（１１）。
【請求項６】
前記偏心輪（１５）と形状一致による連結によって回り止め状態に相互作用する伝達ロッド（５３）を一体成形したハンドル（５１）が、前記偏心輪（１５）を駆動するために設けられていることを特徴とする請求項１乃至請求項５のいずれか１項に記載の車両座席用歯車付き取り付け具（１１）。
【請求項７】
前記ハンドル（５１）と偏心輪（１５）との間に、回り止めを行なう追加手段（５７、５９）が、設けられていることを特徴とする請求項６記載の車両座席用歯車付き取り付け具（１１）。
【請求項８】
前記座席フレーム側の保持クランプ（２５）が、座席フレーム側の第１内歯車（１３）に第２カラー型つまみ（６４）を形成して押し込むことにより取り付けられていることを特徴とする請求項１乃至請求項７のいずれか１項に記載の車両座席用歯車付き取り付け具（１１）。
【請求項９】
請求項１乃至請求項８のいずれか１項に記載の車両座席用歯車付き取り付け具（１１）により傾斜を調節することができる座部（３）を有していることを特徴とする車両座席（１）。
【手続補正２】
【補正対象書類名】明細書
【補正対象項目名】全文
【補正方法】変更
【補正の内容】
【発明の詳細な説明】
【発明の名称】車両座席用歯車付き取り付け具
【技術分野】
【０００１】
本発明は、第１内歯車と、偏心輪によって駆動されて前記第１内歯車と噛み合うピニオンと、このピニオンが内側で噛み合う第２内歯車とを有する車両座席用歯車付き取り付け具、特に、自動車座席用歯車付き取り付け具に関するものである。
【背景技術】
【０００２】
従来技術として公知の車両座席用歯車付き取り付け具は、この内部に配置された複数部材からなる偏心輪によってピニオンが駆動され、このピニオンは、内歯車によって軸方向に固定されている（たとえば、特許文献１参照）。
そして、内歯車は、２つの円形内歯車をその外周で締め合わせるリングによって軸方向に固定されている。
さらに、車両座席用歯車付き取り付け具を座席構造体に固定するために、内歯車に突起が形成されている。
【特許文献１】米国特許第５，５３６，２１７号明細書
【発明の開示】
【発明が解決しようとする課題】
【０００３】
本発明は、冒頭に述べたような従来の車両座席用歯車付き取り付け具を改良するという目的に基づく。
【課題を解決するための手段】
【０００４】
本発明の目的は、第１内歯車と、偏心輪によって駆動されて前記第１内歯車と噛み合うピニオンと、該ピニオンが内側で噛み合う第２内歯車とを有する車両座席用歯車付き取り付け具であって、前記偏心輪が、軸方向クランピング機構の一部を形成している車両座席用歯車付き取り付け具によって達成される。
好都合な改善が、従属請求項の主題である。
【０００５】
偏心輪が、一般的に設けられている保持クランプを補助する内歯車の軸方向クランピング機構の一部を形成して強い軸方向力を吸収することにより、衝突の際に発生する力をよりうまく吸収することができるので、車両座席用歯車付き取り付け具は、より高い負荷が存在する用途に使用することができる。
また、簡単な構造であるため、背もたれアジャスタとして使用するのが好ましく、ピニオン及び内歯車の代わりに一体構造の取り付け部品を用いて別の力比率を生じるような車両座席用歯車付き取り付け具と比べると、より好ましい。
【０００６】
そして、前記軸方向クランピング機構は、たとえば、車両座席用歯車付き取り付け具の一方側において、リングを形状一致と半径方向プレストレスによる摩擦とで、他方側から挿入された一体構造の偏心輪に固定することにより達成されるのが好ましい。
その時、リングが、内歯車または保持クランプに当接する一方、車両座席用歯車付き取り付け具の他方側で、偏心輪自体が、一体成形されたフランジにより他方の内歯車または他方の保持クランプに当接している。
保持クランプを軸受部内に組み込むと、軸方向に合わせて保持する力が非常に強いために、吸収可能な大きな力を容易に消散させることもできるという利点がある。
【０００７】
また、偏心輪とリングとの間には円周方向の回り止め手段が設けられて、騒音の発生を防止するのが好ましい。
さらに、リングを用いた場合、車両座席用歯車付き取り付け具を取り付けた後でも、リングを取り外すことによって偏心輪を取り外して交換することができる。したがって、遊びを減らして品質を高めるための再生作業が可能である。
このため、偏心輪が軸方向に段差が付いた構造、すなわち、軸方向に互いに隣り合わせて配置された部分の直径が小さくなる（他方向に見れば、大きくなる）と好都合である。
騒音及び磨耗を減少させるように働く十分な量のグリースを動作中に利用するために、偏心輪は、その外周面上に少なくとも１つのグリースポケットを有している。
【０００８】
車両座席用歯車付き取り付け具内のばねリングが、軸方向においてリングと偏心輪の他端部との間に配置されると、偏心輪に軸方向のプレストレスを加えることができ、これは、シーケンスロック効果を奏する。同時に、半径方向の遊びも減少する。
また、ばねリングは、塗装作業中にペンキが入り込むのを防止すると共に、使用中にグリースが出てくるのを防止するシールとして作用するのが好ましい。
【０００９】
そして、偏心輪を駆動するために設けられるハンドルが、これに適合する伝達ロッドを有しているのが好ましく、この伝達ロッドは、形状一致による連結によって回転可能な固定状態で偏心輪と相互作用する。    
この一体構造は、部品数を減少させるため、取り付けの複雑さを減少させる。また、製造コストが減少する。
回り止めを行なう追加手段が、ハンドルと偏心輪との間に設けられると、比較的大きいトルクの伝達も可能にするのでより好ましい。
しかし、偏心輪を車両座席の他方側から長い伝達ロッドによって駆動することも可能である。
【００１０】
２つの内歯車を互いに軸方向に合わせて保持するために保持クランプが設けられる場合、少なくとも一方の保持クランプにおいて、カラー型つまみが、取り付け中に形成されて同時にそれに割り当てられた内歯車内に押し込まれると、好都合である。
それにより、内歯車及び保持クランプが相互に不動状態に固定連結される。
押し込み処理により、保持クランプの取り付けにゆがみがなく、そのことによりカラー型つまみに挿通した締結手段か、またはカラー型つまみ付近で行われる溶接連結によって、車両座席用歯車付き取り付け具の締め付けをカラー型つまみを介して続いて行なうことが可能であり、すでに存在している固定連結がそれ以上のゆがみを防止する。
一方の内歯車の内部に他の方法で取り付けられている偏心輪を保持クランプによって追加的に固定することには、シーケンスに関してシステムの信頼性が高くなる、すなわち、出力側に加わるトルクによる角度のわずかな変化を回避できるという利点がある。
【００１１】
本発明の車両座席用歯車付き取り付け具は、たとえば、車両座席の座部の傾斜アジャスタとして使用する場合、簡単なジョイントと協働して旋回運動することができる。
本発明の車両座席用歯車付き取り付け具を他の背もたれなどの調節に使用する場合には、２つの車両座席用歯車付き取り付け具が共通の伝達ロッドを介して駆動される。
【発明を実施するための最良の形態】
【００１２】
次に、図面に示された１つの例示的な実施形態を参照しながら、本発明をさらに詳細に説明する。
【００１３】
まず、車両座席１において、座席シェルに取り付けられた座部３は、座席フレーム５に対する傾斜を調節することができるようになっている。
この目的のために、管状に設計されて座席フレーム５の前方部分を形成する横材が、座席フレーム５の２つの側方部分の前端部に旋回可能に連結され、具体的には、一方側（本実施例ではトンネル側）は、簡単なジョイントで連結され、その領域に補償ばねも配置されており、また、他方側（本実施例ではシル側）は、車両座席用歯車付き取り付け具１１で連結されている。
したがって、横材の回動運動によって座部３の前端部の高さが変化し、座部３の傾斜が変化する。
【００１４】
車両座席用歯車付き取り付け具１１は、座席フレーム５の側方部分に固定するための座席フレーム側の第１内歯車１３を有している。
そして、座席フレーム側の第１内歯車１３の中央開口内に、プラスチック製の偏心輪１５が第１軸受部分１７で回転可能に取り付けられており、偏心輪１５の回転軸が、以下に使用する円筒座標系を定めている。
座席フレーム側の第１内歯車１３の外側に当接するフランジ１８が、第１軸受部分１７に一体成形されている。
一体構造の偏心輪１５の第１軸受部分１７は、軸方向においてフランジ１８から遠い方に面する側で第２軸受部分１９と隣り合っており、偏心輪１５の回転軸に関して偏心配置され、ピニオン２１が摺動式に嵌め付けられている。
【００１５】
第２軸受部分１９の外周面には、４つの窪んだグリースポケット２２がそれぞれ９０度ずらして形成されており、グリースポケット２２は、ピニオン２１の摺動を改善して騒音を減少させるために与えられるグリースを収容している。
【００１６】
ピニオン２１は、座席フレーム側の第１内歯車１３の凹み構造空間内に設けられた内歯内の第１外歯と噛み合い、それらの歯数が少なくとも１つだけ異なり、ピニオン２１の外径（すなわち、その歯の歯先円直径）が座席フレーム側の第１内歯車１３の内径（すなわち、それの内歯の歯底円直径）より少なくとも１つの歯の高さ分小さい。
【００１７】
偏心輪１５の第２軸受部分１９は、第１軸受部分１７から遠い方に面する側で軸方向に絞り加工されて、偏心輪１５の回転軸に関して同軸的に配置された第３軸受部分２３が形成されている。
車両座席用歯車付き取り付け具１１の外側に配置されて座席フレーム側の保持クランプ２５の第１カラー型つまみ２４が、この第３軸受部分２３を回転可能に支持する。
このように座席フレーム側の偏心輪１５を支持することは、動作に関して車両座席用歯車付き取り付け具１１の信頼性がより高まることを意味する。
座席フレーム側の保持クランプ２５は、後述するように、座席フレーム側の第１内歯車１３に固定されている。
座席フレーム側の保持クランプ２５のカラー型つまみの、第３軸受部分２３から半径方向に遠い方に面する側と、座席フレーム側の第１内歯車１３内で半径方向外向きに取り付けられた出力側の第２内歯車３１との間に、ゴムまたは他の弾性材料製のばねリング２７が配置されている。
本実施例では、座席フレーム側の保持クランプ２５に固定されたプラスチック製のスライダ３３が、座席フレーム側の保持クランプ２５と出力側の第２内歯車３１との間に設けられている。
【００１８】
ピニオン２１が、第１外歯に関して軸方向にずれた第２外歯で出力側の第２内歯車３１の内歯内に噛み合い、この内歯は、凹み構造空間内に設けられ、それらの歯数が少なくとも１つ異なっている。
直径の違いは、座席フレーム側の第１内歯車１３の場合の違いに対応するが、それらの直径がはるかに小さいため、ピニオン２１は回転運動の増速を行なう。
２つの第１内歯車１３及び第２内歯車３１は、ピニオン２１を完全に包囲して、それの半径方向外側に位置する領域で互いに平面的に当接している。
また、プラスチック製のスライダ３３が、出力側の第２内歯車３１に溶接された出力側の保持クランプ３５に固定されており、このスライダ３３は、出力側の第２内歯車３１から遠い方に面する座席フレーム側の第１内歯車１３の側に当接している。
【００１９】
さらに、偏心輪１５のフランジ１８から遠い方に面する端部で、リング保持部３７が軸方向において第３軸受部分２３に隣接している。
リング保持部３７は、円周方向に一周する環状溝のように構成されており、回り止め用に２つの直径方向に向き合った回り止め用カム３９を有している。
そして、プラスチック製のリング４１が、偏心輪１５の端部にクリップ式に留め付けられ、その内側が形状一致によってリング保持部３７内まで達している。
リング４１には、２つの回り止め用保持部４３が設けられ、これらは形状一致によって回り止め用カム３９と相互作用して回り止めを行なう。
【００２０】
偏心輪１５は、クリップ式に留められたリング４１と協働して、衝突の際に、車両座席用歯車付き取り付け具１１の円周方向の力に加えて、座席フレーム５の横方向に、すなわち、車両座席用歯車付き取り付け具１１の軸方向にも発生する激しい力、たとえば、２〜３ｋＮまでの力を確実に吸収することができる軸方向クランピング機構を形成する。
したがって、リング保持部３７よりわずかに小さいリング４１は、工具でクリップ式に留め付けられているため、形状一致によるだけでなく、半径方向プレストレスとばねリング２７による軸方向プレストレスを受けて、偏心輪１５上に据え付けられている。
【００２１】
車両座席用歯車付き取り付け具１１の円周方向の回り止め手段、すなわち、回り止め用カム３９及び回り止め用保持部４３によって形成された手段は、偏心輪１５及びリング４１が相対回転することによる騒音の発生を防止している。
【００２２】
ねじ回しなどの工具によってクリップ式に留め付けられた後でも、リング４１を再び取り外すことができ、このため、たとえば、再生作業のためか、または選択的な嵌め合いによる車両座席用歯車付き取り付け具１１内の遊びを減少させるために、偏心輪１５を後で交換することもできる。
【００２３】
リング４１を取り付けた後、変形したばねリング２７が、座席フレーム側の保持クランプ２５と、出力側の第２内歯車３１と、ピニオン２１と、偏心輪１５との間の隙間全体を満たしている。
そして、ばねリング２７は、偏心輪１５に軸方向プレストレスを加えることによって、車両座席用歯車付き取り付け具１１の動作を防止する。加えて、ピニオン２１を作動させるためのグリースの浸出を防止するとともに、塗装作業中にペンキが入り込むのを防止している。
【００２４】
車両座席用歯車付き取り付け具１１、すなわち、偏心輪１５を駆動するために、ハンドル５１には、長手方向リブで輪郭の形状を定めた伝達ロッド５３が予め一体成形されている。
そして、ハンドル５１は、偏心輪１５のリング４１から遠い方に面する端部に嵌められている。
また、伝達ロッド５３は、偏心輪１５の中央を軸方向に通る同一形状のロッド保持部５５内に形状一致によって嵌め込まれている。
確実に取り付けるために、伝達ロッド５３及びロッド保持部５５の形状は、円周方向の一点で欠落した長手方向リブか、または、長手方向リブ用に欠落した保持する形の凹凸を有している。
【００２５】
また、トルクの伝達を向上させるために、ハンドル５１と偏心輪１５との間の回り止めを行なう追加手段として、半径方向において伝達ロッド５３に続いて２つのウィング５７がハンドル５１に一体成形されており、これらのウィング５７は、伝達ロッド５３の寸法を半径方向に蝶形に大きくして、伝達ロッド５３に平行に軸方向に延びている。
ハンドル５１を取り付けた後、ウィング５７は、形状一致によって偏心輪１５の対応のウィング保持部５９に嵌まっている。
ハンドル５１を軸方向に固定するために、ハンドル５１は、偏心輪１５内の刳り貫かれた突起部６１にクリップ式に嵌め込まれている。
【００２６】
座席フレーム側の保持クランプ２５を座席フレーム側の第１内歯車１３に固定するために、取り付け時に座席フレーム側の保持クランプ２５に第１カラー型つまみ２４から半径方向に離れて２つの第２カラー型つまみ６４が形成されている。
２つの第２カラー型つまみ６４は、形成中に座席フレーム側の第１内歯車１３の取り付け開口６５に圧入されている。そして、溶接と異なり、このような結合処理は、撓みがなく、車両座席用歯車付き取り付け具１１の構成部材を固定する最後のステップの場合に好都合である。
完成した車両座席用歯車付き取り付け具１１は、座席フレーム５の側方部分にねじ留め、リベット留めまたは何らかの他の方法で締結され、この締結手段は、第２カラー型つまみ６４に挿通されている。
【図面の簡単な説明】
【００２７】
【図１】本発明の実施形態である車両座席用歯車付き取り付け具の分解図。
【図２】本発明の実施形態である車両座席用歯車付き取り付け具の側面図。
【図３】図２と逆の方向から見た側面図。
【図４】車両座席の概略図。
【図５】図１のＶ−Ｖ線に沿ったばねリングの断面図。
【図６】図１の矢印ＶＩの方向におけるリングの内側を示す平面図。
【図７】図２、図３及び図８のＶＩＩ−ＶＩＩ線に沿った断面図。
【図８】図１及び図７の矢印ＶＩＩＩの方向に見た偏心輪の端面図。
【図９】図７の矢印ＩＸの方向に偏心輪上に固定されるハンドルの斜視図。
【図１０】第２カラー型つまみの形成前の図７の右手部分に対応する断面図。
【符号の説明】
【００２８】
１  ・・・車両座席
３  ・・・座部
５  ・・・座席フレーム
１１  ・・・車両座席用歯車付き取り付け具
１３  ・・・第１内歯車（座席フレーム側の内歯車）
１５  ・・・偏心輪
１７  ・・・第１軸受部分
１８  ・・・フランジ
１９  ・・・第２軸受部分
２１  ・・・ピニオン
２２  ・・・グリースポケット
２３  ・・・第３軸受部分
２４  ・・・第１カラー型つまみ
２５  ・・・座席フレーム側の保持クランプ
２７  ・・・ばねリング
３１  ・・・第２内歯車（出力側の内歯車）
３３  ・・・スライダ
３５  ・・・出力側の保持クランプ
３７  ・・・リング保持部
３９  ・・・回り止め用カム
４１  ・・・リング
４３  ・・・回り止め用保持部
５１  ・・・ハンドル
５３  ・・・伝達ロッド
５５  ・・・ロッド保持部
５７  ・・・ウィング
５９  ・・・ウィング保持部
６１  ・・・突起部
６４  ・・・第２カラー型つまみ
６５  ・・・取り付け開口